(57)【要約】電気モーター装置を内蔵するグリップ（１２）およびグリップエンドの前方に配置されたかみそりヘッド（１６）を有するバリカン（１０）は、グリップ（１２）の使用体勢において固定刃（１８）およびその上方に配置された揺動刃（２０）を有し、この際に固定刃（１８）および揺動刃（２０）は、両方の刃（１８および２０）の間にカットレベル面（２２）を形成し、グリップ（１２）の長軸（２４）に関して傾いている。本発明に記載のバリカンは、グリップ（１２）の使用体勢において、カットレベル面（２２）は長軸（２４）に関して下向きに傾いていて、この場合に揺動刃（２０）が固定刃（１８）の上方に配置されていることを意図するものであり、これによって古典的なはさみカットに匹敵できる毛髪カットが実現できる。
2005535424.tif 000002
【特許請求の範囲】
【請求項１】
電気モーター装置を内蔵するグリップ（１２）およびグリップエンドの前方に配置されたかみそりヘッド（１６）を有するバリカンで、グリップ（１２）の使用体勢において固定刃（１８）およびその上方に配置された揺動刃（２０）を有し、この際に固定刃（１８）および揺動刃（２０）が、両方の刃（１８および２０）の間に位置してグリップ（１２）の長軸（２４）に関して傾いているカットレベル面（２２）を形成するものであって、
グリップ（１２）の使用体勢において、カットレベル面（２２）が長軸（２４）に関して下向きに傾いていて、この場合に揺動刃（２０）が固定刃（１８）の上方に配置されていることを特徴とするバリカン。
【請求項２】
カットレベル面（２２）が、グリップ（１２）の長軸（２４）と共に０〜９０度の正の傾度（アルファ）を形成することを特徴とする、請求項１に記載のバリカン。
【請求項３】
カットレベル面（２２）が、グリップ（１２）の長軸（２４）と共に０〜４５度の正の傾度（アルファ）を形成することを特徴とする、請求項１に記載のバリカン。
【請求項４】
カットレベル面（２２）が、グリップ（１２）の長軸（２４）と共に５〜３５度の正の傾度（アルファ）を形成することを特徴とする、請求項１に記載のバリカン。
【請求項５】
カットレベル面（２２）が、グリップ（１２）の長軸（２４）と共に約３０度の正の傾度（アルファ）を形成することを特徴とする、請求項１に記載のバリカン。
【請求項６】
前記傾度（アルファ）が調節可能に形成されていることを特徴とする、請求項２に記載のバリカン。
【請求項７】
揺動刃（２０）が、相対的に固定刃（１８）に対してカットレベル面（２２）の縦方向（５５）に調節可能に形成されていることを特徴とする、請求項１に記載のバリカン。
【請求項８】
固定刃（１８）および揺動刃（２０）が、取替え可能なかみそりヘッド（１６）として形成されていることを特徴とする、請求項１に記載のバリカン。
【請求項９】
揺動刃（２０）は、平たいカバー（５６）で部分的に覆われていることを特徴とする、請求項１に記載のバリカン。
【発明の詳細な説明】
【技術分野】
【０００１】
本発明は、請求項１の上位概念の類型に属するバリカン（Ｈａａｒｓｃｈｎｅｉｄｅｍａｓｃｈｉｎｅ）に関する。
【背景技術】
【０００２】
本種類を構成するバリカンとしては、例えば特許文献１（ＤＥ４３１７５３０）のものが知られている。ここでは、ケースと、固定式のギザギザ歯の刃およびケースの長軸を横切って往復振動するギザギザ歯の刃を備えるかみそりヘッドとを有するバリカンに関して扱われている。両方の刃の一つは、ケースの長軸方向において前後に調節可能となっている。このようなバリカンを用いると、毛髪のカット長さの調整が可能となる。この際、かみそりヘッドは、ケースの長軸に対するカットレベル面が、長軸の上方に負の傾度を示す。このため、バリカンの通常の体勢において、固定刃の配置が頭皮に対して主に平行となり、このことはカット結果に悪い作用を及ぼす。
【特許文献１】ＤＥ４３１７５３０
【０００３】
一般的に最良のカット結果は、はさみを用いて達成できるが、はさみカットは確かに、長い労力時間を要する最も高度な手作業技量を必要とするものである。このようなはさみカットによって、首すじおよび側面領域においてとりわけ調和のとれた移行部（Ｕｅｂｅｒｇａｎｇ）を達成できる。ここではさみカットは、多数の個別の線状カットから成ることで、しなやかな毛髪カットと称される視覚的効果を実現する。それに反してバリカンを用いて毛髪カットした場合は、多くの個別での長めで鈍いカット面が生じてることにより段差効果を生み出すのだが、このような段差効果が視覚的に匹敵できるよう調整するために、そぎばさみを用いて時間をかけて後に手を加えなければならない。しかしながらこのような処置によっても、古典的なはさみカットから得られる結果とは大きな隔たりがある。
【発明の開示】
【発明が解決しようとする課題】
【０００４】
本発明は、古典的なはさみカットに匹敵するほどに、頭髪でのカット結果を改善させるような同類型に属するバリカンを創造することを根本的な課題としている。さらに、このバリカンは、人間工学的な視点から、使用者にとって操作の変更を意図しないものであり、したがっていつも通りの快適な操作での使用が可能である。
【課題を解決するための手段】
【０００５】
上記の課題は、請求項１に明らかにされている部分の特徴に従って解消される。本発明のさらなる形態は、下位の請求項の対象である。
【０００６】
グリップの使用体勢におけるバリカンは、グリップの長軸に関するカットレベル面が下方向に傾いていて、この際に固定刃の上方に揺動刃が配置されていることにより、毎秒約２５〜５０回の振り運動を伴う揺動刃が、不動刃への毛髪の連続的な誘い込みのための振動効果を獲得するように、揺動刃はバリカンのかみそりヘッドの上に配備されており、これにより、毛髪の細かくて高密度な毛髪のそぎが得られる。揺動刃によるこの振動効果は、バリカンを用いてはさみカットに類似するカット結果を得るために、追加される特徴および重要な構成要素である。
【０００７】
本発明に従ったバリカンの利点は、頭皮の損傷の危険なしに、古典的なはさみカットと同様の外観上の効果を有する毛髪カットを機械により達成できることである。さらなる重要な利点は、このバリカンを用いた頭髪カットは、古典的なはさみカットよりも実質的に短時間で達成できることであり、これにより経済的な利益も生じることとなる。
【０００８】
本バリカンは以下の利点を示す：
−カットで生じ得る禿げ部や「窪み部」が可能な限り減少する
−人間工学的な操作性
−はさみカットに比べて労働時間が短い
−カットの間の操作の際に視野が良く、体勢が安全である
−バリカンを回転させる必要がなく、輪郭のカットが容易である
【発明を実施するための最良の形態】
【０００９】
本発明の実施例は図面において示されており、以下においてより詳細に記述されている。
【００１０】
図１から図３では、ハサミ５１を用いたカット技術を明らかにする。図１は、ハサミ５１を用いてカットされた毛髪３２が異なる長さとなることを示す。この図によって、より多くの毛髪３２はそのつど、ある地点、すなわち交点３０で同時に水平にカットされることが説明される。そこでは、交点３０よりも上方および下方の毛髪３２は、交点３０にある毛髪３１よりも交点３０への距離が長くなり、毛髪３２は、交点３０にある毛髪３１よりも長くなる。このことは、毛髪３２が頭皮２６から均等に離して引っ張られると、湾曲したカット面３３として認識されることが図２において明らかである。多数のカット３４を並列させることで、細かな段３５を有するしなやかなカット面が生じ、その結果毛髪カットは、しなやかさを呈することが可能となる（図３）。
【００１１】
これに対し、ＤＥ４３１７５３０のバリカンを用いた毛髪カットは、鈍いカットの原因となる。この場合、毛髪３２は、カット面３６に平行な固定刃１８によって捕えられ、鈍く切断される。
【００１２】
毛髪カットのスタイルにおいて、首すじおよび側面の短かめ毛髪カット技術が、施術するのに最も難しい。ここでは、首すじ端部（毛髪長さ０％）とその上方に位置するより長い毛髪（毛髪長さ１００％）の間が、調和のとれた流れとなるように努力が払われる。ここで生じるカット面は頭皮に対して斜めに走り、したがって傾斜したカット面として称される。しかし、移行部のカットがなされず、首すじ端部の毛髪が例えば１ｃｍの長さを示し、頭上部の毛髪が例えば１０ｃｍの長さであるような場合においても、傾斜したカット面が生じる。
【００１３】
図４および図４ａでは、従来のバリカン５２を用いたカット技術を明らかにする。バリカン５２は、０〜１００％の望まれた毛髪長さＬからなる望まれたカット面３６に沿う方向３７に動かされる。これによって、細かな段を持たない、硬くぎこちなく鈍いカット面３６が生じて、毛髪カットは調和の悪い印象を与える。
【００１４】
バリカン５２の操作は、とりわけ首すじ領域において、特にカット用くし５３でもはや下支えできない場合に困難である。ここでカット支援をするために、しばしばカット用アタッチメントが使用されるが、これを用いても傾斜したカット面３６を生じさせることはできない。むしろ、同じ長さですべての毛髪は刈られてしまう。このようなカット用アタッチメントは単に、望まない段や禿げ部を回避するためだけに役立つ。
【００１５】
図５および図６によるバリカン１０は、上側１２ａ、下側１２ｂおよびグリップエンド１４の前方に配置されたかみそりヘッド１６を有する電気モーター装置を内臓するグリップ１２を含み、ここで揺動刃２０は固定刃１８の上方に備えられている。正の角−バリカン１０を用いる場合、バリカン１０の通常の水平な操作において角度（カットレベル面２２に対する頭皮２６またはカット面２８の関係）が、従来のバリカン５２を用いた場合よりも急勾配になり、これにより、特に移行部のカットにおいて出来上がりが改善され、さらに誤差率を縮小することで、より速い作業が可能となる。
【００１６】
図７は、二つの刃１８および２０のカットレベル面２２と、バリカン１０の長軸２４との角度関係を示し、この際にアルファ角は０〜９０度、好ましくは０〜４５度、さらにより好ましくは５〜３５度になる。実際上は、最適なアルファ角は、約３０度であることが確認されている。バリカン１０のカットレベル面２２は、その長軸２４に関して下方向Ｕに傾けられる。ここで、バリカン１０の固定刃１８の上方に位置する（図６）揺動刃２０は、偏心駆動装置５４において、偏心軸４２および駆動軸４１と連結される金属ピン４３をあらかじめ組み込むようになっており（図１５）、この際にこの金属ピン４３は、開口部４４のを通って下方の固定刃１８を貫き導かれ、キャッチ４５を介して上の揺動刃２０を駆動できるようになっている。
【００１７】
図８は、望まれた毛髪長さＬの０〜１００％の移行部を作成するためのバリカン１０の操作を示す。傾斜したカット面は、参照符号２８によって示される。
【００１８】
図９および図９ａは、交点３９から離れて弓形の軌跡３８に沿って動かされるバリカン１０を用いた、特別なカット技術を明らかにしている。このカットの結果を図９ａに示す。ここでは、細かな段３５を伴ったしなやかなカット面によって際立てられた古典的なはさみカットに類似のカット結果が実現できる。
【００１９】
カット面３６に対する負の角４７−普通に知られているような−を伴うバリカン５２（図１１）と、正の角４８を伴うバリカン１０（図１０）の差異は、長軸２４を垂直に置いた場合に最もよく識別される。かみそりヘッド１６の下方に傾斜した側面の上に揺動刃２０がある場合に負の角４７となり、バリカン５２の使用の際に、カット面３６に対してほぼ強制的に平行なカットレベル面２２の行程が結果として生じるというこの負の角による影響が表面化し、ここでカット面３６に対して平行なカットレベル面２２の行程において、固定刃１８は毛髪を鈍く捕らえ、固定し、その結果、硬くぎこちないもしくは平坦な平面に切断される。可動刃２０が固定刃１８の上方にある場合は、例えば、振動効果（図１２）などのような肯定的に記述したすべての利点を有する正の角（図１０）に関わる事柄であり、正の角を伴うバリカン１０でカットする場合、毛髪３２は、微小なそぎを有することによって、はさみカットに類似の効果を獲得する。
【００２０】
発明者は驚くべきことに、カット結果が著しく優れること、すなわちカット方向３７に操作される場合にバリカン１０のかみそりヘッドが急角度であるほど、言い換えればカットレベル面２２が頭皮の方向に向けられるほど、これにより毛髪は鈍く捕らえられて切断されることがなく、むしろ揺動刃２０の速い往復振動によって毛髪がまず揺り動かされるということを見出した（図１２）。振動の後にようやく固定刃は別の落ち込んでくる毛髪を捕らえ、固定し、ここで切断する。この振動によって、カット面３４は鈍く切断されたものでない、きちんとしたものになり、このことではさみカット効果に近い微小なそぎ４０が得られる。
【００２１】
バリカンを用いて正の角を達成させるために、取扱者は従来のバリカンを長軸の周りにほぼ１８０°回転させることができるが、この場合には振動効果が生じず、ここで固定刃は毛髪をまず捕らえて固定するので、そぎを作り出すことができない。同じくこの状態において揺動刃が頭皮の方に向けられるので、頭皮を負傷する危険が発生する。さらに毛髪は単に中途半端に捕らえられて不十分に切断されるだけである。
【００２２】
別の可能性として、バリカンを横軸の周りに回転させることが挙げられ、この方法により頭皮に対するカットレベル面の方向を急勾配にすることができる。しかしながら、バリカンのこの体勢は、人間工学的に無理な姿勢を取扱者に対して要求し、疲労を早めることとなる。
【００２３】
本発明のバリカンを用いることで、取扱者にとって人間工学的に好都合な姿勢で、負傷の危険性なく、非常に優れたカット結果が得られる。
【００２４】
図１０は、カット面３４から遠ざけて長軸２４を持ち上げた１１ときのバリカン１０の正の角４８まさに示しており、この際にかみそりヘッド１６はカット面３４への距離位置を保持し、かみそりヘッド１６はカット面３４に対してより急角度に起きる。毛髪３２は、固定刃１８による固定が行われてがっちり捕らえられて切断される前に、上部に位置する揺動刃２０によってまず振り動かされる。
【００２５】
図１１は、カット面３６に対するカットレベル面２２の負の角４７を示す。使用者が、カット面３６の方向にカットするために長軸２４を持ち上げても（１１）、切断される際に毛髪が固定刃１８内に固定され動くことができないので、鈍くて硬くぎこちないカット面３６へと展開する平行線がすぐに自動的に生じてしまう。固定刃１８はまず先に毛髪を捕らえ固定するので、揺動刃２０内に毛髪が入り込むことは起こり得ない。
【００２６】
図１２および図１２ａは、揺動刃２０および固定刃１８を有するかみそりヘッド１６によってカット方向３７で捕らえられる垂直に垂れ落ちる毛髪３２の模式的な図を示す。毛髪３２はまず揺動刃２０へと垂れ落ちることが明白に認識される。この場合、カット面３４において生じるそぎ領域４０は、カット面３４に対して正の傾度を有するこの機械カットに、はさみカットに似た外観を与える。なぜなら、切断の前に毛髪が振り動かされ、これにより毛髪３２が切断される前に固定刃１８に不均一に固定され捕捉されるからである。
【００２７】
バリカン１０のカットレベル面２２が、カット面３４に対して水平（平行）であればあるほど、毛髪カットはより硬くまたはより漸進的であることが、発明者により認識されたこは、本発明に従ったバリカン１０の重要な利点である。このことは、すべての毛髪３２（図１３）がまず据え付けの固定刃１８へ落ち込み、これにより固定されて鈍く３６切断されることが原因で起こる。それに反して、カット面３４に対するカットレベル面２２が急角度に向けられていると、毛髪カットはよりしなやかになり、したがってより調和のとれたものとなる。これは、頭皮２６に対して４５度の角度の場合に、毛髪３２はバリカン１０の刃２０および刃１８内にあまり深く垂れ込むことができないことが要因である。これによって、理容師は意図された毛髪の長さＬが既に達成されたかどうかを、種々の短い動作によってより適切により良好に認識することができる。バリカン１０はさらに、バリカン１０が頭皮２６から遠ざけて（軌跡３８）動かされ、カットする場合、振動効果が失われることはないという別の利点を持つ。したがってみっともない禿げ部や窪み部ならびに刈り込み段差などが回避され、このことは職業初心者にとっても相当に重要であろう。
【００２８】
図１３および図１３ａは、毛髪３２の鈍い切断３６が見られる模式的な図である。毛髪３２は、揺動刃２０によって切断される前に、まず固定刃１８によって固定されることが明白に見て取れる。このことにより、鈍くて硬くぎこちない毛髪カット３６が生じる。
【００２９】
図１４は、偏心駆動装置５４を伴う揺動刃２０および固定刃１８を分解組立図において示している。電気モーター４９より駆動軸４１が作動され、その先に偏心軸４２が取り付けられている。偏心軸４２のその対向する側には、偏心的に金属ピン４３が固定されている。この金属ピン４３は、固定刃１８にある開口部４４を通って案内され、揺動刃２０のキャッチ４５内へと差し込まれる。揺動刃２０は、支持バネ４６を用いて固定刃１８の上に平行四辺形のガイドを介して可動的に取り付けられる。可動刃のこれら支持バネ４６は、運動できるために充分な間隙を残すので、偏心的に取り付けられた金属ピン４３の回転運動によって揺動刃２０は往復運動する。かみそりヘッド１６は、それ自体が周知のはめ込み可能な連結システムでバリカングリップ１２に固定される。支持バネ４６を用いたこのような平行四辺形ガイドの配置は、完全に開示されているとみなされるＥＰ０１４７１３４Ｂ１によってそれ自体が周知である。
【００３０】
図１５は、図１４に応じた側面図である。
【００３１】
図１６は、組み立てられたかみそりヘッド１６を示し、ここで金属ピン４３は固定刃１８内の開口部４４を貫通し、揺動刃２０のキャッチ４５内へ差し込まれている。しかしそれを逆向きにして、キャッチ４５が延長されて開口部４４を通って案内される状態でも構わない。開口部４４の代わりに、図示されない凹み部が意図されていても構わない。金属ピン４３およびキャッチ４５の相互作用に応じて、開口部４４もしくは凹み部を持たないようにすることも可能である。長軸に対する正の角を有するバリカン１０のかみそりヘッド１６の駆動は、モーター４９に作動される駆動軸４１を介して行われる。この駆動軸４１の先に円形の偏心軸４２が留められ、この偏心軸４２の対向する側に金属ピン４３が偏心的に取り付けられている。モーター４９のスイッチがオンになる場合に、この金属ピン４３は旋回運動を受け取る。揺動刃２０を作動可能とするために、金属ピン４３は、固定刃１８の開口部４４を通って案内されなければならない。この開口部４４は、金属ピン４３が運動する場合に固定刃１８にぶつからないように大きくなければならない。金属ピン４３の末端は、揺動刃２０のキャッチ４５内に差し込まれている。支持バネ４６は可動刃２０を固定刃１８の上に固定するが、同時に支持バネ４６はその往復運動が可能となるだけの間隙を供与する。揺動刃２０は、金属ピン４３の回旋運動を通じて往復振動を行う。
【００３２】
バリカン１０の傾度（アルファ）は調節可能に設計されているので、個々に人間工学的に適合できるようになっている。このような調節機構は、たとえばＥＰ０１４７１３４Ｂ、たとえば図１３により周知であり、これらはこれでもって完全に開示されているとみなされる。
【００３３】
揺動刃２０は、相対的に固定刃１８に対してカットレベル面２２の縦方向５５に調節可能に設計されているので、そぎ４０はある程度は調節可能となる。
【００３４】
固定刃１８および揺動刃２０は、取替え可能なかみそりヘッド１６として設計されているので、このかみそりヘッド１６は従来型のかみそりヘッドと置き換えられることも可能である。
【００３５】
揺動刃２０は、平たいカバー５６で部分的に覆われており、これにより切断された毛髪３２が揺動刃２０の上に集積するのを防ぐことが可能である。
【図面の簡単な説明】
【００３６】
【図１】図１は、古典的なはさみカットのカット技術を明確にするための模式図である（従来技術）。
【図２】図２は、古典的なはさみカットのカット技術を明確にするための模式図である（従来技術）。
【図３】図３は、古典的なはさみカットのカット技術を明確にするための模式図である（従来技術）。
【図４】図４は、周知のバリカンを用いた毛髪カットのカット技術を明確にするための模式図である（従来技術）。
【図４ａ】図４ａは、図４のカット面を示す模式図である。
【図５】図５は、本発明のバリカンの斜視図である。
【図６】図６は、かみそりヘッドを有するバリカンの断面図である。
【図７】図７は、長軸に対するカットレベル面の角度を描写するための模式図である。
【図８】図８は、頭皮に対するバリカンのポジショニングの模式図である。
【図９】図９は、バリカンの使用を示す。
【図９ａ】図９ａは、特別なカット技術を用いたカットの結果を示す。
【図１０】図１０は、カット面に対するバリカンの正の角の模式図である。
【図１１】図１１は、カット面に対するバリカンの負の角の模式図である。
【図１２】図１２は、カット面に対してカットレベル面を垂直体勢におくことによって、毛髪そぎのカット結果を示す、かみそりヘッドの模式図である。
【図１２ａ】図１２ａは、図１２の要部拡大図である。
【図１３】図１３は、カット面に対してカットレベル面を水平体勢におくことによって、鈍いカット結果を示す、かみそりヘッドの模式図である。
【図１３ａ】図１３ａは、図１３の要部拡大図である。
【図１４】図１４は、かみそりヘッドとそのモーターおよび駆動軸を含む個々の部分要素の斜視図である。
【図１５】図１５は、側面視における駆動軸、固定刃および揺動刃の模式図である。
【図１６】図１６は、金属ピンが固定刃を貫通して導かれ、次いで揺動刃の膨出部内に突出していることを表した、組み立てられたかみそり刃の図面である。
【符号の説明】
【００３７】
１０  バリカン
１１  長軸の持ち上げ
１２  グリップ
１２ａ  上側
１２ｂ  下側
１４  グリップエンド
１６  かみそりヘッド
１８  固定刃（下）
２０  揺動刃（上）
２２  カットレベル面
２４  長軸
２６  頭皮
２８  傾斜したカット面
３０  交点
３１  毛髪（一本）
３２  毛髪（複数）
３３  湾曲したカット面
３４  カット面
３５  細かな段
３６  鈍くぎこちないカット面
３７  カット方向
３８  弓形の軌跡
３９  交点
４０  微小なそぎ
４１  駆動軸
４２  偏心軸
４３  金属ピン
４４  固定刃における開口部
４５  キャッチ
４６  支持バネ
４７  負の角
４８  正の角
４９  モーター
５１  ハサミ
５２  従来型のバリカン
５３  カット用くし
５４  偏心駆動装置
５５  長軸方向
５６  カバー
Ｌ、Ｌ１、Ｌ２  毛髪の長さ
【図１】
2005535424.tif 000003
【図２】
2005535424.tif 000004
【図３】
2005535424.tif 000005
【図４】
2005535424.tif 000006
【図５】
2005535424.tif 000007
【図６】
2005535424.tif 000008
【図７】
2005535424.tif 000009
【図８】
2005535424.tif 000010
【図９】
2005535424.tif 000011
【図１０】
2005535424.tif 000012
【図１１】
2005535424.tif 000013
【図１２】
2005535424.tif 000014
【図１３】
2005535424.tif 000015
【図１４】
2005535424.tif 000016
【図１５】
2005535424.tif 000017
【図１６】
2005535424.tif 000018
【国際調査報告】
2005535424.tif 000019
2005535424.tif 000020
2005535424.tif 000021
2005535424.tif 000022
2005535424.tif 000023
2005535424.tif 000024